(57)【要約】【課題】遊技客の払戻し取引に係る利便性を向上させること。【解決手段】景品交換システム１は、遊技客からタッチパネル２２を介して受け付けた払戻し形態（例えば、「貨幣払出」、「景品交換」または「貯玉加算／貯メダル加算」による払戻しの中のいずれか）をプリペイド一体型会員カード２００の「残度数」の払戻し形態として選択し、選択した「残度数」の払戻し形態を景品管理装置１０に通知する会員カード処理機２０と、「残度数」に相当する価値を上限として、払戻し形態選択部２５ａによって選択された払戻し形態に対応する払戻し装置（例えば、現金払出機３０、景品払出機４０や会員管理Ｔ／Ｃ５０などの装置）に「貨幣払出」、「景品交換」または「貯玉加算および／または貯メダル加算」による払戻しを行うように指示する景品管理装置１０とを備える。【選択図】        図２
2007007259.tif 000002
【特許請求の範囲】
【請求項１】
予め登録処理された遊技客によって預け入れられた貯玉残高／貯メダル残高の払戻し、または遊技客によって獲得された獲得遊技媒体の払戻しを遊技客が所望する景品と交換することによって行う景品管理装置であって、
前記貯玉残高／貯メダル残高の払戻し要求または前記獲得遊技媒体の払戻し要求とともに、記録媒体に価値付けられた有価価値の景品交換による払戻し要求を受け付ける払戻し要求受付手段と、
前記払戻し要求受付手段が払戻し要求を受け付けると、前記有価価値に相当する価値を上限として、景品交換処理を行う制御手段と
を備えたことを特徴とする景品管理装置。
【請求項２】
予め登録処理された遊技客によって預け入れられた貯玉残高／貯メダル残高の払戻し、または遊技客によって獲得された獲得遊技媒体の払戻しを遊技客が所望する景品と交換することによって行う景品管理装置であって、
前記貯玉残高／貯メダル残高の払戻し要求または前記獲得遊技媒体の払戻し要求とともに、記録媒体に価値付けられた有価価値の払戻し要求を受けた場合に、景品交換または貯玉加算／貯メダル加算による払戻しの中から、当該有価価値の払戻し形態を選択する払戻し形態選択手段と、
前記有価価値に相当する価値を上限として、前記払戻し形態選択手段によって選択された払戻し形態に対応する払戻し装置に景品交換或いは貯玉加算／貯メダル加算による払戻しを行うように指示する払戻し指示手段と
を備えたことを特徴とする景品管理装置。
【請求項３】
予め登録処理された遊技客によって預け入れられた貯玉残高／貯メダル残高の払戻し、または遊技客によって獲得された獲得遊技媒体の払戻しを遊技客が所望する景品と交換することによって行う景品管理装置であって、
前記貯玉残高／貯メダル残高の払戻し要求または前記獲得遊技媒体の払戻し要求とともに、記録媒体に価値付けられた有価価値の払戻し要求を受け付けた場合に、貨幣払出、景品交換または貯玉加算／貯メダル加算による払戻しの中から、当該有価価値の払戻し形態を選択する払戻し形態選択手段と、
前記有価価値に相当する価値を上限として、前記払戻し形態選択手段によって選択された払戻し形態に対応する払戻し装置に貨幣払出、景品交換、或いは、貯玉加算および／または貯メダル加算による払戻しを行うように指示する払戻し指示手段と
を備えたことを特徴とする景品管理装置。
【請求項４】
前記払戻し形態選択手段は、前記記録媒体に価値付けられた有価価値の払戻し形態を営業時間帯に応じて選択することを特徴とする請求項２または３に記載の景品管理装置。
【請求項５】
予め登録処理された遊技客によって預け入れられた貯玉残高／貯メダル残高の払戻し、または遊技客によって獲得された獲得遊技媒体の払戻しを遊技客が所望する景品と交換することによって行う景品管理方法であって、
前記貯玉残高／貯メダル残高の払戻し要求または前記獲得遊技媒体の払戻し要求とともに、記録媒体に価値付けられた有価価値の払戻し要求を受け付けた場合に、貨幣払出、景品交換または貯玉加算／貯メダル加算による払戻しの中から、当該有価価値の払戻し形態を選択する払戻し形態選択工程と、
前記有価価値に相当する価値を上限として、前記払戻し形態選択工程によって選択された払戻し形態に対応する払戻し装置に貨幣払出、景品交換、或いは、貯玉加算および／または貯メダル加算による払戻しを行うように指示する払戻し指示工程と
を含んだことを特徴とする景品管理方法。
【請求項６】
予め登録処理された遊技客によって預け入れられた貯玉残高／貯メダル残高の払戻し、または遊技客によって獲得された獲得遊技媒体の払戻しを遊技客が所望する景品と交換することによって行う景品管理プログラムであって、
前記貯玉残高／貯メダル残高の払戻し要求または前記獲得遊技媒体の払戻し要求とともに、記録媒体に価値付けられた有価価値の払戻し要求を受け付けた場合に、貨幣払出、景品交換または貯玉加算／貯メダル加算による払戻しの中から、当該有価価値の払戻し形態を選択する払戻し形態選択手順と、
前記有価価値に相当する価値を上限として、前記払戻し形態選択手順によって選択された払戻し形態に対応する払戻し装置に貨幣払出、景品交換、或いは、貯玉加算および／または貯メダル加算による払戻しを行うように指示する払戻し指示手順と
をコンピュータに実行させることを特徴とする景品管理プログラム。
【発明の詳細な説明】
【技術分野】
【０００１】
本発明は、予め登録処理された遊技客によって預け入れられた貯玉残高／貯メダル残高の払戻し、または遊技客によって獲得された獲得遊技媒体の払戻しを遊技客が所望する景品と交換することによって行う景品管理装置、景品交換方法および景品交換プログラムに関する。
【背景技術】
【０００２】
従来より、パチンコ遊技やパチスロ遊技を提供する遊技店において、遊技客が遊技を終了する場合には、遊技で獲得した獲得玉／獲得メダルを景品管理装置で景品交換したり、また、遊技を行う際に購入した記録媒体（プリペイドカード）の残度数を記録媒体精算機（カード精算機）で精算したりする必要がある。
【０００３】
この景品管理装置は、遊技客が所望する景品と引き換えに景品相当分の獲得玉数／獲得メダル数を減算し、交換要求された景品種別が「特殊景品」である場合には、当該景品管理装置に接続された景品払出機に特殊景品の払い出しを指示するものである（例えば、特許文献１参照）。
【０００４】
ここで、獲得玉／獲得メダルの景品交換を行う場合には、過不足なく所望の景品や特殊景品に交換可能なケースはごく稀であり、多くの場合、所望の景品や特殊景品に交換可能な数量に満たない余り玉／余りメダルが生じる。
【０００５】
このため、遊技客は、余り玉／余りメダルを他の景品に交換するか、また、この余り玉／余りメダルで再び遊技を行う必要があるが、「特殊景品」以外の他の景品の中に交換したい商品がない場合や、再び遊技を行う意志がない場合には、遊技客自身の意図に反した用途にしか余り玉／余りメダルを利用できない状態に陥ることとなる。
【０００６】
また、近年では、遊技店における所定の手続きを経た遊技客（会員）に付与される会員カードの識別情報（例えば、会員ＩＤなど）に関連付けて、獲得玉／獲得メダルの数量情報（貯玉数）を登録するシステム、いわゆる貯玉システムが導入されている。
【０００７】
かかる貯玉システムを利用すれば、獲得玉／獲得メダルを計数した際に、かかる余り玉／余りメダルを含む獲得玉／獲得メダルの数量を貯玉残高に一旦加算し、景品管理装置で景品交換を行う際に貯玉残高を再度引き落とすことで、余り玉／余りメダルを生じさせることなく、景品交換を行うことができる。このため、遊技店の「会員」となった遊技客には、このような方法で景品交換が行われるのが一般的になってきている。
【０００８】
【特許文献１】特開２００２−０１１２２０号公報
【発明の開示】
【発明が解決しようとする課題】
【０００９】
しかしながら、上記した従来技術では、獲得玉／獲得メダルまたは貯玉残高／貯メダル残高の払戻しと、記録媒体（プリペイドカード）に価値付けされた残度数の払戻しとの両方を行う場合に、これらの払戻し取引をそれぞれ別の場所で行わねばならず、遊技客の払戻し取引に係る利便性を損なうという問題点があった。
【００１０】
例えば、遊技店の閉店時には、遊技場内のすべての遊技客が遊技を終了し、獲得玉／獲得メダルまたは貯玉／貯メダルの景品交換並びにプリペイドカードの残度数の精算などの払戻し取引を一斉に行うので、景品管理装置が設置された「景品交換カウンタ」およびプリペイドカードの残度数を精算する「カード精算機」が混雑し、これらの場所で遊技客が列をなすこととなる。
【００１１】
このため、上記した従来技術では、これらの払戻し取引をそれぞれ別の場所で行わせることで、「二度手間」を強いるとともに、遊技客の混雑により生じた行列に払戻し取引ごとに並ばせることで、さらに「二度並び」までも強いることとなり、遊技客にとっては、払戻し取引が極めて煩わしいものとなる。
【００１２】
尚、プリペイドカードに度数を残したまま遊技を終了しようとする遊技客は、通常、「勝った」遊技客であり、獲得した遊技媒体を景品に交換する為に景品交換カウンタへ向かう場合が多い。従って、遊技客が、上述した「二度手間」及び「二度並び」の不便を被る頻度は低いものではない。
【００１３】
さらに、近年では、単一の記録媒体に貯玉残高および有価価値（残度数）を価値付けたプリペイド一体型会員用記録媒体（プリペイド一体型会員カード）が広く利用されているが、単一の記録媒体で両機能を有するにも拘らず、これらの払戻し取引を別々の場所で行わねばならないため、二つの記録媒体を所持せねばならないのと実質的には変わらず、本来の会員用記録媒体の有用性を損なうものであった。
【００１４】
また、上記した従来技術では、従業員は、景品管理装置および記録媒体精算機の双方で「特殊景品」や「貨幣」の補充業務を行わねばならず、従業員の業務を煩雑化するという問題点もあった。特に、遊技店の閉店時などこれらの機器の使用頻度が高い状況では、補充業務の頻度も高くなるため、従業員が補充業務に忙殺されることとなり、通常・閉店業務に支障をきたすおそれもある。
【００１５】
そこで、本発明は、上述した従来技術による課題（問題点）を解消するためになされたものであり、遊技客の払戻し取引に係る利便性を向上させることができる景品管理装置、景品管理方法および景品管理プログラムを提供することを目的とする。
【課題を解決するための手段】
【００１６】
上述した課題を解決し、目的を達成するために、請求項１の発明に係る景品管理装置は、予め登録処理された遊技客によって預け入れられた貯玉残高／貯メダル残高の払戻し、または遊技客によって獲得された獲得遊技媒体の払戻しを遊技客が所望する景品と交換することによって行う景品管理装置であって、前記貯玉残高／貯メダル残高の払戻し要求または前記獲得遊技媒体の払戻し要求とともに、記録媒体に価値付けられた有価価値の景品交換による払戻し要求を受け付ける払戻し要求受付手段と、前記払戻し要求受付手段が払戻し要求を受け付けると、前記有価価値に相当する価値を上限として、景品交換処理を行う制御手段とを備えたことを特徴とする。
【００１７】
また、請求項２の発明に係る景品管理装置は、予め登録処理された遊技客によって預け入れられた貯玉残高／貯メダル残高の払戻し、または遊技客によって獲得された獲得遊技媒体の払戻しを遊技客が所望する景品と交換することによって行う景品管理装置であって、前記貯玉残高／貯メダル残高の払戻し要求または前記獲得遊技媒体の払戻し要求とともに、記録媒体に価値付けられた有価価値の払戻し要求を受けた場合に、景品交換または貯玉加算／貯メダル加算による払戻しの中から、当該有価価値の払戻し形態を選択する払戻し形態選択手段と、前記有価価値に相当する価値を上限として、前記払戻し形態選択手段によって選択された払戻し形態に対応する払戻し装置に景品交換或いは貯玉加算／貯メダル加算による払戻しを行うように指示する払戻し指示手段とを備えたことを特徴とする。
【００１８】
また、請求項３の発明に係る景品管理装置は、予め登録処理された遊技客によって預け入れられた貯玉残高／貯メダル残高の払戻し、または遊技客によって獲得された獲得遊技媒体の払戻しを遊技客が所望する景品と交換することによって行う景品管理装置であって、前記貯玉残高／貯メダル残高の払戻し要求または前記獲得遊技媒体の払戻し要求とともに、記録媒体に価値付けられた有価価値の払戻し要求を受け付けた場合に、貨幣払出、景品交換または貯玉加算／貯メダル加算による払戻しの中から、当該有価価値の払戻し形態を選択する払戻し形態選択手段と、前記有価価値に相当する価値を上限として、前記払戻し形態選択手段によって選択された払戻し形態に対応する払戻し装置に貨幣払出、景品交換、或いは、貯玉加算および／または貯メダル加算による払戻しを行うように指示する払戻し指示手段とを備えたことを特徴とする。
【００１９】
また、請求項４の発明に係る景品管理装置は、請求項２または３の発明において、前記払戻し形態選択手段は、前記記録媒体に価値付けられた有価価値の残度数の払戻し形態を営業時間帯に応じて選択することを特徴とする。
【００２０】
また、請求項５の発明に係る景品管理方法は、予め登録処理された遊技客によって預け入れられた貯玉残高／貯メダル残高の払戻し、または遊技客によって獲得された獲得遊技媒体の払戻しを遊技客が所望する景品と交換することによって行う景品管理方法であって、前記貯玉残高／貯メダル残高の払戻し要求または前記獲得遊技媒体の払戻し要求とともに、記録媒体に価値付けられた有価価値の払戻し要求を受け付けた場合に、貨幣払出、景品交換または貯玉加算／貯メダル加算による払戻しの中から、当該有価価値の払戻し形態を選択する払戻し形態選択工程と、前記有価価値に相当する価値を上限として、前記払戻し形態選択工程によって選択された払戻し形態に対応する払戻し装置に貨幣払出、景品交換、或いは、貯玉加算および／または貯メダル加算による払戻しを行うように指示する払戻し指示工程とを含んだことを特徴とする。
【００２１】
また、請求項６の発明に係る景品管理プログラムは、予め登録処理された遊技客によって預け入れられた貯玉残高／貯メダル残高の払戻し、または遊技客によって獲得された獲得遊技媒体の払戻しを遊技客が所望する景品と交換することによって行う景品管理プログラムであって、前記貯玉残高／貯メダル残高の払戻し要求または前記獲得遊技媒体の払戻し要求とともに、記録媒体に価値付けられた有価価値の払戻し要求を受け付けた場合に、貨幣払出、景品交換または貯玉加算／貯メダル加算による払戻しの中から、当該有価価値の払戻し形態を選択する払戻し形態選択手順と、前記有価価値に相当する価値を上限として、前記払戻し形態選択手順によって選択された払戻し形態に対応する払戻し装置に貨幣払出、景品交換、或いは、貯玉加算および／または貯メダル加算による払戻しを行うように指示する払戻し指示手順とをコンピュータに実行させることを特徴とする。
【発明の効果】
【００２２】
本発明によれば、貯玉残高／貯メダル残高の払戻し要求または獲得遊技媒体の払戻し要求とともに、記録媒体に価値付けられた有価価値の景品交換による払戻し要求を受け付け、払戻し要求を受け付けると、有価価値に相当する価値を上限として、景品交換処理を行うこととしたので、払戻し取引を景品管理装置が設置された「景品交換カウンタ」で一括して行うことができ、遊技客の払戻し取引に係る利便性を向上させることが可能な景品管理装置が得られるという効果を奏する。
【００２３】
また、本発明によれば、貯玉残高／貯メダル残高の払戻し要求または獲得遊技媒体の払戻し要求とともに、記録媒体に価値付けられた有価価値の払戻し要求を受けた場合に、景品交換または貯玉加算／貯メダル加算による払戻しの中から、当該有価価値の払戻し形態を選択し、有価価値に相当する価値を上限として、選択された払戻し形態に対応する払戻し装置に景品交換或いは貯玉加算／貯メダル加算による払戻しを行うように指示することとしたので、払戻し取引を景品管理装置が設置された「景品交換カウンタ」で一括して行うことができ、遊技客の払戻し取引に係る利便性を向上させることが可能な景品管理装置が得られるという効果を奏する。
【００２４】
また、本発明によれば、貯玉残高／貯メダル残高の払戻し要求または獲得遊技媒体の払戻し要求とともに、記録媒体に価値付けられた有価価値の払戻し要求を受け付けた場合に、貨幣払出、景品交換または貯玉加算／貯メダル加算による払戻しの中から、有価価値の払戻し形態を選択し、有価価値に相当する価値を上限として、選択された払戻し形態に対応する払戻し装置に貨幣払出、景品交換、或いは、貯玉加算および／または貯メダル加算による払戻しを行うように指示することとしたので、払戻し取引を景品管理装置が設置された「景品交換カウンタ」で一括して行うことができ、遊技客の払戻し取引に係る利便性を向上させることが可能な景品管理装置、景品管理方法および景品管理プログラムが得られるという効果を奏する。
【００２５】
また、本発明によれば、記録媒体に価値付けられた有価価値の払戻し形態を営業時間帯に応じて選択することとしたので、他の業務の繁忙期と重複する時間帯に払戻し取引に起因する補充業務を軽減することができ、遊技客の払戻し取引に係る利便性を損なうことなく、遊技店における他の業務に支障をきたすことを防止することが可能な景品管理装置が得られるという効果を奏する。
【発明を実施するための最良の形態】
【００２６】
以下に添付図面を参照して、本発明に係る景品管理装置、景品管理方法および景品管理プログラムの好適な実施例を詳細に説明する。なお、ここでは、本発明に係る景品管理装置の概要および特徴を説明した後に、実施例１に係る景品交換システムを説明し、最後に、他の実施例として種々の変形例（実施例２）を説明することとする。
【００２７】
（概要および特徴）
まず最初に、本発明に係る景品管理装置の概要および特徴を説明する。図１は、本発明に係る景品管理装置の概要および特徴を説明するための概念図である。同図に示すように、この景品管理装置１０は、予め登録処理された遊技客（遊技店の会員）によって預け入れられた「貯玉残高」の払戻し、または遊技客によって獲得された「獲得遊技媒体」の払戻しを遊技客が所望する景品（例えば、「通常景品」や「特殊景品」などの景品）と交換することによって行うものである。
【００２８】
ここで、本発明に係る景品管理装置１０は、「貯玉残高／貯メダル残高」または「獲得遊技媒体」の払戻し要求とともに記録媒体に価値付けられた「有価価値」の払戻し要求を受け付けた場合に、「貨幣払出」、「景品交換」または「貯玉加算／貯メダル加算」による払戻しの中から、当該「有価価値」の払戻し形態を選択する「払戻し形態選択処理」、有価価値に相当する価値を上限として、選択された払戻し形態に対応する払戻し装置（例えば、現金払出機３０、景品払出機４０や会員管理Ｔ／Ｃ５０などの装置）に「貨幣払出」、「景品交換」または「貯玉加算および／または貯メダル加算」による払戻しを行うように指示する「払戻し指示処理」に主たる特徴があり、かかる一連の処理によって、遊技客の払戻し取引に係る利便性を向上させることができるようにしている。
【００２９】
この主たる特徴を具体的に説明すると、本発明に係る景品管理装置１０では、「獲得玉／獲得メダル」または「貯玉残高／貯メダル残高」の払戻し取引と、記録媒体（プリペイドカード）に価値付けされた「残度数」の払戻し取引との両方を当該景品管理装置１０が設置された「景品交換カウンタ」で一括して行うために、記録媒体に価値付けられた「残度数」の払戻し取引をも当該景品管理装置１０で行うことができるようにしている。
【００３０】
例えば、図１に示すように、この景品管理装置１０は、プリペイド一体型会員カード２００に価値付けられた貯玉残高「１００００（玉）」および残度数「３０（度数）」の払戻し要求を遊技客から受け付けた場合に、残度数「３０（度数）」に相当する「貨幣」、「景品（特殊景品）」または「貯玉／貯メダル」による払戻しを行う。なお、「貯玉残高」の払戻しは、上記の従来技術と同様に、貯玉残高「１００００（玉）」相当分の「特殊景品」の払い出しを景品払出機４０に指示することによって行われる。
【００３１】
より詳細には、この景品管理装置１０は、「３０（度数）」分の現金の払出しを現金払出機３０に指示したり、「３０（度数）」分の特殊景品の払出しを景品払出機４０に指示したり、或いは「３０（度数）」分の貯玉加算／貯メダル加算（すなわち、パチンコ玉「１（玉）」の値段が４円／玉であれば、「７５０（玉）」の貯玉加算、或いはスロットメダル「１（枚）」の値段が２０円／枚であれば、「１５０（枚）」の貯メダル加算）を会員管理Ｔ／Ｃ５０に指示したりすることで、プリペイド一体型会員カード２００の残度数「３０（度数）」の払戻しを行う。
【００３２】
したがって、上記した従来技術の例で言えば、「貯玉残高／貯メダル残高」または「獲得遊技媒体」の払戻し取引、並びに「残度数」の払戻し取引をそれぞれ別の場所で行うことで、遊技客に「二度手間」および「二度並び」を強いるのではなく、これらの払戻し取引を景品管理装置１０が設置された「景品交換カウンタ」で一括して行うことで、上記した主たる特徴のように、遊技客の払戻し取引に係る利便性を向上させることが可能になる。
【００３３】
さらに、これに関連して、本発明に係る景品管理装置１０によれば、貯玉残高および有価価値（残度数）が価値付けられたプリペイド一体型会員用記録媒体でこれらの払戻し取引を行う場合に、払戻し取引ごとに場所を変えることなく、単一の記録媒体で払戻し取引を行うことができ、会員用記録媒体の有用性を向上させることができる。
【００３４】
また、本発明に係る景品管理装置１０によれば、記録媒体に価値付けられた「残度数」の払戻し取引を当該景品管理装置１０で行うことで、記録媒体精算機がなくとも必要な払戻し取引を景品管理装置１０で行うことができ、遊技店の設備投資費用を低減することが可能になる。
【００３５】
また、本発明に係る景品管理装置１０によれば、これらの払戻し取引を景品管理装置１０が設置された「景品交換カウンタ」で一括して行うことで、従業員は、「特殊景品」や「貨幣」などの補充業務を「景品交換カウンタ」のみで行えばよくなるため、従業員の業務を簡素化することが可能になる。
【実施例１】
【００３６】
次に、本実施例１に係る景品交換システムについて説明する。なお、ここでは、本実施例１に係る景品交換システムの構成を説明した後に、この景品交換システムの各種処理の手順について説明する。
【００３７】
（景品交換システムの構成）
図２は、本実施例１に係る景品交換システムのシステム構成を示すシステム構成図である。同図に示すように、この景品交換システム１は、景品管理装置１０と会員カード処理機２０が相互に通信可能に接続された構成となる。なお、この景品管理装置１０は、現金払出機３０、景品払出機４０および会員管理Ｔ／Ｃ５０などの払戻し装置とさらに接続されている。
【００３８】
現金払出機３０には予め貨幣が装填されており、景品払出装置からの指示に基づき、指示された金額分の貨幣を払い出す機能を有する。景品払出機４０には予め景品が装填されており、景品払出装置からの指示に基づき、指示された種類及び個数の景品を払い出す機能を有する。会員管理Ｔ／Ｃ５０は、予め登録処理された遊技客（会員）に関する情報を管理する装置であり、その情報の中には、各会員が獲得した玉／メダルを預け入れた貯玉数／貯メダル数が含まれている。
【００３９】
一方、会員カード処理機２０は、カードＲ／Ｗ２１と、タッチパネル２２と、記憶部２３と、景品管理装置１０との間で各種通信の制御を行う通信制御ＩＦ部２４と、制御部２５とを備える。
【００４０】
カードＲ／Ｗ２１は、遊技客が所有する会員カード、プリペイドカードやプリペイド一体型会員カードに対して「読込処理」または「書込処理」を行うリーダライタである。例えば、遊技客によってプリペイド一体型会員カード２００がカード挿入口（図示せず）に挿入された場合に、当該会員カードの識別情報を読み込んで、制御部２５に出力する。
【００４１】
タッチパネル２２は、液晶パネルやディスプレイなど表示デバイスで構成された遊技者用の表示入力手段であり、例えば、図３に示すように、プリペイド一体型会員カード２００に価値付けられた貯玉残高「１００００（玉）」および残度数「３０（度数）」を表示したり、図４に示すように、「残度数」の払戻し形態（例えば、「貨幣払出」、「景品交換」または「貯玉加算／貯メダル加算」による払戻しなど）の選択の入力を受け付けたり、また、「貯玉残高」のうち景品交換する「景品交換玉数」の入力や、「残度数」のうち精算する「精算対象残度数」の入力を受け付けたりする。なお、「残度数」を「貯玉加算／貯メダル加算」で払い戻す場合には、「貯玉加算」または「貯メダル加算」のいずれによって払戻しを受けるのかをさらに遊技客に選択させる必要がある。
【００４２】
制御部２５は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、払戻し形態選択部２５ａを備える。
【００４３】
払戻し形態選択部２５ａは、「貨幣払出」、「景品交換」または「貯玉／貯メダル加算」による払戻しの中から、当該「残度数」の払戻し形態を選択する処理部である。具体的には、遊技客からタッチパネル２２を介して受け付けた払戻し形態（例えば、「貨幣払出」、「景品交換」または「貯玉加算／貯メダル加算」による払戻しの中のいずれか）をプリペイド一体型会員カード２００の「残度数」の払戻し形態として選択し、選択した「残度数」の払戻し形態を景品管理装置１０に通知する。
【００４４】
一方、景品管理装置１０は、予め登録処理された遊技客（遊技店の会員）によって預け入れられた「貯玉残高／貯メダル残高」の払戻し取引、または遊技客によって獲得された「獲得遊技媒体」の払戻し取引を遊技客が所望する景品と交換することによって行うものであり、レシート読取部１１と、タッチパネル１２と、各種装置（例えば、会員カード処理機２０、現金払出機３０、景品払出機４０および会員管理Ｔ／Ｃ５０などの装置）との間で各種通信の制御を行う通信制御ＩＦ部１３と、景品交換玉数管理ＤＢ１４と、制御部１５とを備える。
【００４５】
このうち、レシート読取部１１は、計数レシートにバーコードで印字された計数情報を読み取るバーコードリーダである。計数レシートとは、遊技客が獲得した玉／メダルを計数機で計数したときに、引き換えに受け取るものであり、「計数日時」「計数値」「レシートＮｏ，」等の計数情報が目視可能に印刷されるとともに、バーコードとして記録されている。尚、本実施例１では、かかる「計数情報」を記録する記録媒体として、計数情報を示すバーコードが印字された印刷物（計数レシート）を使用し、さらに、この計数レシートを読み取るための読取手段として、バーコードリーダを使用することとしたが、磁気記録媒体やＩＣカードなどの他の記録媒体を使用し、この記録媒体に対応した読取手段を使用する場合でも同様に本発明を適用することができる。
【００４６】
タッチパネル１２は、液晶パネルやディスプレイなど表示デバイスで構成された従業員用の表示入力手段であり、例えば、遊技客所有のプリペイド一体型会員カード２００に価値付けられた貯玉残高「１００００（玉）」および残度数「３０（度数）」を表示したり、払戻し形態選択部２５ａによって選択された「残度数」の払戻し形態を表示したりする。なお、タッチパネル１２では、遊技客によって会員カード処理機２０のタッチパネル１２で行われる各種操作に対して従業員による介入操作を行うことができるように構成しても良い。
【００４７】
景品交換玉数管理ＤＢ１４は、景品管理装置１０で「景品交換」が行われた玉数を記憶するデータベースであり、具体的には、「レシートＮｏ，」ごとに、「受付時刻」、景品交換を受け付けた「従業員ＩＤ」、「景品交換玉数／メダル数」および「取込玉数／メダル数」を対応付けて記憶している。
【００４８】
制御部１５は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、払戻し指示部２５ａを備える。
【００４９】
払戻し指示部１５ａは、「残度数」に相当する価値を上限として、払戻し形態選択部２５ａによって選択された払戻し形態に対応する払戻し装置に「貨幣払出」、「景品交換」または「貯玉加算および／または貯メダル加算」による払戻しを行うように指示する処理部である。なお、ここでは、プリペイド一体型会員カード２００に価値付けられた貯玉残高「１００００（玉）」および残度数「３０（度数）」すべてを払い戻す形態を一例として説明するが、プリペイド一体型会員カード２００に価値付けられた貯玉残高および残度数の範囲内において、遊技客から受け付けた任意の景品交換玉数（例えば、「１００００（玉）」のうち「５０００（玉）」）並びに残度数（例えば、「３０（度数）」のうち「１５（度数）」）を払戻し対象として払い戻すことができることは言うまでもない。
【００５０】
例えば、払戻し形態選択部２５ａによって「貨幣払出」による払戻しが選択された場合には、払い戻し指示部１５ａは、景品交換玉数「１００００（玉）」に相当する「特殊景品」の払い出し指示を景品払出機４０に送信するとともに、「３０（度数）」分の貨幣、すなわち「三千円」の現金の払い出し指示を現金払出機３０に送信する。
【００５１】
また、払戻し形態選択部２５ａによって「景品交換」による払戻しが選択された場合には、払い戻し指示部１５ａは、景品交換玉数「１００００（玉）」に相当する「特殊景品」の払い出し指示を景品払出機４０に送信するとともに、さらに、「３０（度数）」分の「特殊景品」の払い出し指示を景品払出機４０に送信する。なお、この場合、「３０（度数）」と等価な「７５０（玉）」を貯玉残高「１００００（玉）」に加算して「１０７５０（玉）」分の「特殊景品」の払い出し指示を景品払出機４０に送信するようにしても良いし、或いは「１００００（玉）」と等価な「４００（度数）」を残度数「３０（度数）」に加算して「４３０（度数）」分の「特殊景品」の払い出し指示を景品払出機４０に送信するようにしても良い。
【００５２】
このように、「特殊景品」による払戻しを行う場合には、貯玉残高の景品交換および残度数の精算を「特殊景品」に集約して払い出すことができるので、払戻し取引を効率良く行うことが可能になる。また、従業員による補充業務についても「特殊景品」に集約することができるので、従業員による補充業務を軽減することも可能になる。
【００５３】
一方、払戻し形態選択部２５ａによって「貯玉加算／貯メダル加算」による払戻しが選択された場合には、払い戻し指示部１５ａは、景品交換玉数「１００００（玉）」に相当する「特殊景品」の払い出し指示を景品払出機４０に送信するとともに、「３０（度数）」分の貯玉／貯メダル加算指示、すなわち「７５０（玉）」の貯玉加算指示もしくは「１５０（枚）」の貯メダル加算指示を会員管理Ｔ／Ｃ５０に送信する。なお、ここでは、「貯玉」または「貯メダル」のいずれか一方についてのみ加算を行う例について説明したが、プリペイド一体型会員カード２００の残度数「３０（度数）」の範囲内で「貯玉」および「貯メダル」それぞれを加算するようにしても良い。
【００５４】
また、「獲得玉／獲得メダル」および「残度数」の払戻しを「貯玉加算／貯メダル加算」によって行う場合には、「貯玉加算／貯メダル加算」に集約して払い出すことができるとともに、遊技客が当日に景品買取場に行かずとも翌日以降に「貯玉／貯メダル」の引き落としを行うことができるので、払戻し取引を効率良く行うことが可能になる。さらに、従業員による「貨幣」および「特殊景品」の補充業務を不要化することができ、従業員の業務を簡素化することが可能になる。
【００５５】
ここで、払戻し指示部１５ａは、記録媒体（プリペイドカード）に価値付けられた有価価値（残度数）を払い戻す際には、景品管理装置１０と接続されるプリペイドカードシステム３に当該プリペイドカードの残度数の減算処理依頼を行う。
【００５６】
このプリペイドカードシステム３について具体的に説明する。図８は、景品管理装置と接続されるプリペイドカードシステムを説明するための説明図である。同図に示すように、プリペイドカードシステム３は、カード管理装置６０を中心にして、カード発行機６１、カード精算機６２、カード管理ＤＢ６３および貸出処理機７０を接続して構成される。なお、貸出処理機７０には、各台ごとに遊技機８０が接続されている。
【００５７】
このうち、カード発行機６１は、現金が入金された場合に、該入金金額に応じた有価価値（度数）が関連付けられるプリペイドカードＰＣの発行処理並びにプリペイドカードＰＣに関連付けられた度数に対する加算処理を主機能とするものであり、遊技店に数台設置されている。
【００５８】
カード精算機６２は、プリペイドカードに関連付けられた残度数の払戻し処理を主機能とするものであり、具体的には、プリペイドカードが挿入された場合に、カード管理ＤＢ６３で記憶管理された当該プリペイドカードの残度数の減算処理をカード管理装置６０に依頼するとともに、減算処理を行った価値分の現金を払い出す。
【００５９】
カード管理ＤＢ６３は、プリペイドカードの識別情報ごとに、価値付けられた有価価値を記憶管理するデータベースである。具体的には、カードＩＤごとに、当該カードの（累積）発行度数、（累積）使用度数、（現在の）残度数、発行日時、発行号機および精算期限などの情報を対応付けて記憶している。なお、本実施例では、カードに記録した磁気データを改ざんするなどの不正行為を防止する観点から、プリペイドカードには「度数」を記録せず、プリペイドカードの識別情報のみを記録する構成を採用することとする。
【００６０】
例えば、図９に示すように、カードＩＤ「Ａ００１」に、発行度数「１５０」、使用度数「８５」、残度数「６５」、発行日時「２００５．６．１５  １０：０５」、発行号機「Ｓ１５２」および精算期限「２００５．６．２５」を対応付けて記憶している。なお、このカードＩＤの数字番号の前に付される管理区分が「Ａ」であれば、会員カードであることを示し、「Ｂ」であれば、一般のプリペイドカードであることを示す。また、発行号機の数字番号（号機番号）の前に付される記号が「Ｈ」であれば、カード発行機６１で発行されたカードである旨を示し、「Ｓ」であれば、貸出処理機７０で発行されたカードである旨を示す。
【００６１】
これに関連して、会員管理ＤＢ５１では、カード管理ＤＢ６３で記憶管理されるカードのうち会員カード（カードＩＤの前に付される管理区分が「Ａ」のカード）の貯玉情報および貯メダル情報を記憶管理する。具体的には、会員ＩＤごとに、氏名、住所、電話番号、生年月日、貯玉数、貯メダル数およびポイント数を対応付けて記憶している。
【００６２】
例えば、図９に示すように、会員ＩＤ「Ａ００１」に、氏名「山田太郎」、住所「東京都・・・」、電話番号「０３−１２３−・・・」、生年月日「１９７５．１．１」、貯玉数「１３００」、貯メダル数「１５０」およびポイント数「１５」を対応付けて記憶している。なお、「ポイント数」は、当該会員の投資額や来店回数などの条件に応じて加算されるものであり、ポイント数が多い程、遊技店への貢献度が大きいと判断される。
【００６３】
図８の説明に戻り、カード管理装置６０は、カード発行機６１、カード精算機６２および払戻し指示部１５ａからの依頼を受けて、プリペイドカードの発行処理、プリペイドカードに価値付けられた残度数の加算処理または減算処理を行うものである。
【００６４】
例えば、払戻し指示部１５ａからプリペイドカードの残度数「３０度数」の減算処理依頼を受け付けた場合には、当該プリペイドカードＩＤに対応するカード管理ＤＢ６３の残度数「３０度数」を減算し、払戻し指示部１５ａに「度数減算完了通知」を返信する。
【００６５】
貸出処理機７０は、プリペイドカードＰＣに関連付けられた度数の残数（以下、残度数という）や、会員カードＭＣに価値付けられた貯玉数を上限としてパチンコ玉の貸し出し処理をおこなうことを主機能とするものであり、遊技店に設置された複数の遊技機８０それぞれに対して１台ずつペアとなるように用意され、遊技機８０の相互間に挟まれる形で設置してある。また、遊技機８０は、パチンコ玉を遊技領域に発射して遊技者が遊技をおこなう装置である。
【００６６】
（景品交換システムの各種処理の手順）
次に、本実施例１に係る景品交換システムの各種処理の手順を説明する。なお、ここでは、記録媒体に価値付けされた「残度数」の払戻し形態を選択する（１）払戻し形態選択処理を説明した後に、「残度数」に相当する価値の範囲内で、選択された払戻し形態に対応する払戻し装置に「貨幣払出」、「景品交換」または「貯玉加算および／または貯メダル加算」による払戻しを行うように指示する（２）払戻し指示処理を説明する。
【００６７】
（１）払戻し形態選択処理
図５は、本実施例１に係る払戻し形態選択処理の手順を示すフローチャートである。同図に示すように、プリペイド一体型会員カード２００が会員カード処理機２０に挿入された場合（ステップＳ５０１肯定）に、制御部１５は、カードＲ／Ｗ２１で読み込まれた会員カードの識別情報をもとに、会員管理Ｔ／Ｃ５０およびカード管理装置６０（図８参照）から、このプリペイド一体型会員カード２００に価値付けられた貯玉残高「１００００（玉）」および残度数「３０００（円）」を取得してタッチパネル２２に表示する（ステップＳ５０２）。
【００６８】
そして、タッチパネル２２は、貯玉残高「１００００（玉）」のうち、貯玉残高の払戻しを行う景品交換玉数（例えば、「１００００（玉）」）の入力を受け付ける（ステップＳ５０３）。
【００６９】
続いて、タッチパネル２２は、「貨幣払出」、「景品交換」または「貯玉加算／貯メダル加算」による払戻しの中から、プリペイド一体型会員カード２００の「残度数」の払戻し形態の選択の入力を受け付ける（ステップＳ５０４）。なお、「残度数」を「貯玉加算／貯メダル加算」で払い戻す場合には、「貯玉加算」または「貯メダル加算」のいずれによって払戻しを受けるのかをさらに遊技客に選択させる必要がある。
【００７０】
その後、払戻し形態選択部２５ａは、遊技客からタッチパネル２２を介して受け付けた払戻し形態（例えば、「貨幣払出」、「景品交換」または「貯玉加算／貯メダル加算」による払戻しの中のいずれか）をプリペイド一体型会員カード２００の「残度数」の払戻し形態として選択し、選択した「残度数」の払戻し形態を景品管理装置１０に通知するとともに（ステップＳ５０５）、カード返却をカード搬送機構（図示せず）に指示し、プリペイド一体型会員カード２００を返却する（ステップＳ５０６）。
【００７１】
（２）払戻し指示処理
図６は、本実施例１に係る払戻し指示処理の手順を示すフローチャートである。同図に示すように、この「払戻し指示処理」は、払戻し形態選択部２５ａによって「残度数」の払戻し形態が通知された場合に開始されることとなる。
【００７２】
ここで、払戻し形態選択部２５ａによって「貨幣払出」による払戻しが選択された場合（ステップＳ６０１肯定）には、払い戻し指示部１５ａは、景品交換玉数「１００００（玉）」に相当する「特殊景品」の払い出し指示を景品払出機４０に送信する（ステップＳ６０２）とともに、「３０（度数）」分の貨幣、すなわち「三千円」の現金の払い出し指示を現金払出機３０に送信する（ステップＳ６０３）。
【００７３】
また、払戻し形態選択部２５ａによって「景品交換」による払戻しが選択された場合（ステップＳ６０１否定かつステップＳ６０４肯定）には、払い戻し指示部１５ａは、景品交換玉数「１００００（玉）」に相当する「特殊景品」の払い出し指示を景品払出機４０に送信する（ステップＳ６０５）とともに、さらに、「３０（度数）」分の「特殊景品」の払い出し指示を景品払出機４０に送信する（ステップＳ６０６）。
【００７４】
一方、払戻し形態選択部２５ａによって「貯玉加算／貯メダル加算」による払戻しが選択された場合（ステップＳ６０１否定かつステップＳ６０４否定）には、払い戻し指示部１５ａは、景品交換玉数「１００００（玉）」に相当する「特殊景品」の払い出し指示を景品払出機４０に送信する（ステップＳ６０７）とともに、「３０（度数）」分の貯玉加算指示／貯メダル加算指示、すなわち「７５０（玉）」の貯玉加算指示もしくは「１５０（枚）」の貯メダル加算指示を会員管理Ｔ／Ｃ５０に送信する（ステップＳ６０８）。
【００７５】
上述してきたように、本実施例１に係る景品交換システム１によれば、「貯玉残高／貯メダル残高」または「獲得遊技媒体」の払戻し取引、並びに「残度数」の払戻し取引を景品管理装置１０が設置された「景品交換カウンタ」で一括して行うことができ、遊技客の払戻し取引に係る利便性を向上させることが可能になる。
【実施例２】
【００７６】
さて、これまで本発明の実施例について説明したが、本発明は上述した実施例以外にも、種々の異なる実施例にて実施されてもよいものである。
【００７７】
例えば、実施例１では、遊技客から払戻し形態の選択を受け付ける「払戻し形態選択処理」を行う会員カード処理機２０と、払戻し装置に払戻し指示を行う「払戻し指示処理」を行う景品管理装置１０とをそれぞれ別に構成することとしたが、本発明はこれに限定されるものではなく、これらの機能を併せた景品管理装置として構成するようにしても良い。
【００７８】
また、実施例１では、「貯玉残高」および「残度数」の払戻し取引を行う場合の実施例について説明したが、本発明はこれに限定されるものではなく、「獲得玉／獲得メダル」および「残度数」の払戻し取引を行う場合にも同様に本発明を適用することができる。
【００７９】
なお、実施例１では、「貯玉残高」および「有価価値」が価値付けられたプリペイド一体型会員カード２００を受け入れる実施例について説明したが、本発明はこれに限定されるものではなく、会員カードおよびプリペイドカードをそれぞれ別に受け入れるようにしても良いし、会員カードに代えて「獲得玉数／獲得メダル数」が記録された記録媒体を受け入れるようにしてもよい。
【００８０】
また、本発明では、払戻し形態選択部２５ａは、記録媒体に価値付けられた残度数の払戻し形態を営業時間帯に応じて選択するようにしても良い。すなわち、遊技店の閉店時など他の業務の繁忙期と重複する時間帯においては、払戻し取引に要する時間を圧縮し、従業員による補充業務を軽減するために、「景品交換」による払戻し、または「貯玉加算／貯メダル加算」による払戻しのみを受け付けるようにする。
【００８１】
例えば、図７に示すように、開店時間「１０：００」から閉店一時間前「２２：００」までについては、「貨幣払出」、「景品交換」または「貯玉加算／貯メダル加算」による払戻しを任意に選択させ、閉店一時間前「２２：００」から閉店十五分前「２２：４５」までについては、「景品交換」または「貯玉加算／貯メダル加算」による払戻しのいずれかを選択させ、閉店十五分前「２２：４５」から閉店時間「２３：００」までについては、「貯玉加算／貯メダル加算」による払戻しだけを自動的に選択するようにする。
【００８２】
このように、記録媒体に価値付けられた残数の払戻し形態を営業時間帯に応じて選択することで、他の業務の繁忙期と重複する時間帯に払戻し取引に起因する補充業務を軽減することができ、遊技客の払戻し取引に係る利便性を損なうことなく、遊技店における他の業務に支障をきたすことを防止することが可能になる。
【００８３】
また、本発明では、記録媒体精算装置（カード精算機）で、記録媒体に記録された有価価値に相当する遊技媒体数の貯玉処理を行うようにしても良い。例えば、残度数「３０（度数）」のプリペイド一体型会員カードを受け付け、貯玉あるいは貯メダルによる精算（払戻し）が選択された場合には、玉数「７５０（玉）」の貯玉加算もしくはメダル数「１５０（枚）」の貯メダル加算を行うように構成しても良い。
【００８４】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００８６】
以上のように、本発明に係る景品管理装置、景品管理方法および景品管理プログラムは、予め登録処理された遊技客によって預け入れられた貯玉残高／貯メダル残高の払戻し、または遊技客によって獲得された獲得遊技媒体の払戻しを遊技客が所望する景品と交換することによって行う景品管理装置、景品管理方法および景品管理プログラムに有用であり、特に、遊技客の払戻し取引に係る利便性を向上させることができる景品管理装置、景品管理方法および景品管理プログラムに適している。
【図面の簡単な説明】
【００８７】
【図１】本発明に係る景品管理装置の概要および特徴を説明するための概念図である。
【図２】本実施例１に係る景品交換システムのシステム構成を示すシステム構成図である。
【図３】会員カード処理機に表示される画面の一例を示す図である。
【図４】会員カード処理機に表示される画面の一例を示す図である。
【図５】本実施例１に係る払戻し形態選択処理の手順を示すフローチャートである。
【図６】本実施例１に係る払戻し指示処理の手順を示すフローチャートである。
【図７】営業時間帯に応じた払戻し形態の選択を説明するための説明図である。
【図８】景品管理装置と接続されるプリペイドカードシステムを説明するための説明図である。
【図９】図８に示した会員管理ＤＢおよびカード管理ＤＢに記憶される情報の構成例を示す図である。
【符号の説明】
【００８８】
１    景品交換システム
３    プリペイドカードシステム
１０    景品管理装置
１１    レシート読取部
１２    タッチパネル
１３    通信制御ＩＦ部
１４    景品交換玉数管理ＤＢ
１５    制御部
１５ａ  払戻し指示部
２０    会員カード処理機
２１    カードＲ／Ｗ
２２    タッチパネル
２３    記憶部
２４    通信制御ＩＦ部
２５    制御部
２５ａ  払戻し形態選択部
３０    現金払出機
４０    景品払出機
５０    会員管理Ｔ／Ｃ
６０    カード管理装置
【図１】
2007007259.tif 000003
【図２】
2007007259.tif 000004
【図３】
2007007259.tif 000005
【図４】
2007007259.tif 000006
【図５】
2007007259.tif 000007
【図６】
2007007259.tif 000008
【図７】
2007007259.tif 000009
【図８】
2007007259.tif 000010
【図９】
2007007259.tif 000011